(57)【要約】【課題】  年齢認証に基づき遊技施設における景品交換をスムーズかつ確実に行う。【解決方法】    投入された遊技媒体の数を計数する手段と、記憶媒体から媒体所持者の特定情報を読み取る第１の読み取り手段と、読み取った特定情報に基づいて、媒体所持者が所定の年齢に達しているか否かを判別する手段と、計数された遊技媒体数と、媒体所持者が所定の年齢に達しているか否かによって、それぞれに対応する景品を交換可能にする景品交換システム。【選択図】  図１
2009000242.tif 000002
【特許請求の範囲】
【請求項１】
投入された遊技媒体の数を計数する手段と、
記憶媒体から媒体所持者の特定情報を読み取る第１の読み取り手段と、
読み取った特定情報に基づいて、媒体所持者が所定の年齢に達しているか否かを判別する手段と、
計数された遊技媒体数と、媒体所持者が所定の年齢に達しているか否かによって、それぞれに対応する景品を交換可能にする景品交換システム。
【請求項２】
前記媒体所持者の特定情報は、媒体所持者の生年月日を含む請求項１に記載の景品交換システム。
【請求項３】
前記第１の読み取り手段は、さらに、前記記憶媒体から本人の固有情報を読み取り、
媒体所持者の特徴を読み取る第２の読み取り手段と、
記憶媒体から読み取った本人の固有情報と媒体所持者の特徴を比較して本人確認を行う手段とを備え、
本人確認結果と媒体所持者の生年月日に基づいて、媒体所持者が本人であって所定の年齢に達しているか否か、あるいは媒体所持者が本人でないかによって、それぞれに対応する景品を交換可能にする請求項２に記載の景品交換システム。
【請求項４】
前記媒体所持者の特定情報は、媒体所持者に付与された参照番号であり、
該参照番号に基づいて、予め記憶されたデータから媒体所持者の生年月日を読み出す手段を有する請求項１に記載の景品交換システム。
【請求項５】
前記第１の読み取り手段は、さらに、予め記憶されたデータから本人固有情報を読み取り、
媒体所持者の特徴を読み取る第２の読み取り手段と、
予め記憶されたデータから読み取った本人固有情報と媒体所持者の特徴を比較して本人確認を行う手段とを備え、
本人確認結果と媒体所持者の生年月日に基づいて、媒体所持者が本人であって所定の年齢に達しているか否か、媒体所持者が本人でないかによって、それぞれに対応する景品を交換可能にする請求項４に記載の景品交換システム。
【請求項６】
前記本人固有情報と媒体所持者の特徴は、パスワード、指紋、静脈形状のいずれかである請求項３または５に記載の景品交換システム。
【請求項７】
それぞれ交換可能な景品のみを画面に表示することによって、前記それぞれに対応する景品を交換可能にする請求項３または５のいずれかに記載の景品交換システム。
【請求項８】
それぞれ交換可能な景品のみに対応する取り出しスイッチを操作可能にすることによって、前記それぞれに対応する景品を交換可能にする請求項３または５のいずれかに記載の景品交換システム。
【請求項９】
前記投入された遊技媒体の数と、記憶媒体に予め記憶されていた遊技媒体の残り数とを合計して投入媒体の数とするとともに、景品交換後は、景品交換に用いられた遊技媒体の数を差し引いて残りを遊技媒体の残り数として記憶媒体に記憶させる請求項１ないし８のいずれかに記載の景品交換システム。
【発明の詳細な説明】
【技術分野】
【０００１】
本発明は、遊技場における景品交換システムに関し、特に、景品を交換するものの年齢認証を行って、認証された年齢に基づいて景品を交換可能にする景品交換システムに関するものである。
【背景技術】
【０００２】
例えばパチンコ、スロット、ルーレット、スロットルマシン等を備えた遊技場においては、パチンコ球、コイン等である遊技媒体を用いて遊技または競技を行い、後にはこれを景品と交換することあるいは残り数を一旦記録して後日の遊技のためにこの記録を保管または保存することが行われている。
【０００３】
景品交換に関連して、特開２００４−１６６４０号公報（特許文献１)は、遊技媒体を金額に換算して蓄積可能にし、その蓄積金を商店での商品購入等、その交換を可能にし、遊技媒体の交換価値の拡大化を図った遊技媒体交換システムを開示している。その方法は、パチンコ店に第１のサーバ、商店に第２のサーバ、管理センタに第３のサーバとデータベースを備え、遊技者の会員カードに対応する口座を開設し、遊技店で獲得した遊技媒体数のデータを所定の交換レートで金額データに変換して口座に記録し、遊技者が商店で商品購入の際、その代金を口座に記録された金額データで決済可能としたものである。
特許文献１に開示された方法は、遊技媒体を口座に貯積された金額に換算するものであるが、競技媒体を換算して得られた金額で何を購入するかについては、購入者が未成年であるか否か等は考慮されていない。したがって、例えば未成年者が、遊技媒体を介してタバコやアルコール飲料を購入することも可能であるという問題が有る。
【０００４】
また、特開２００７−５４５７５号公報（特許文献２)は、遊技媒体計数装置管理者の指紋登録と関連して起動する遊技媒体計数装置を開示する。具体的には、記憶認証装置と、計数機構と、表示機構とを有する遊技媒体計数装置であって、遊技媒体計数装置管理者の生体情報の登録と該生体情報を記憶するとともに生体情報との照合を行なう生体情報登録機構と、管理者の生体情報登録・認証または認証と認証毎に前記遊技媒体計数装置を稼動状態にセット・リセットするとともに該稼動状態の経過を記憶する稼動状態記憶装置を備えたシステムである。
同システムは、指紋が登録された管理者が遊技媒体計数装置を起動することによって、利用客が独自に遊技媒体の計数を行うことができるようにしたものであるが、この発明においても、競技者が未成年者であった場合に、計数結果をどのように利用するかについては一切配慮されていない。
【０００５】
特開２００１−２７６３９５号公報（特許文献３)は、小規模の遊技店においても、遊技者の趣向に合わせた多種の景品との交換が可能となる景品交換システムを開示したものである。具体的には、遊技で得た遊技媒体を数えて、口座に貯える遊技媒体数の増加データを生成する計数機と、前記口座に貯えられた遊技媒体と景品との交換を指示する景品交換用端末と、前記計数機及び前記景品交換用端末に接続されたコンピュータとで構成される景品交換システムにおいて、前記口座は、遊技店毎に遊技媒体を貯えるように複数の個別口座に分割して構成され、前記個別口座には遊技媒体の貯蓄数が記録され、前記景品交換用端末への前記口座の情報及び景品の入力により、前記景品との交換に充当する前記個別口座に対応する遊技店の情報に基づいて、少なくとも遊技者及び景品の情報を含む景品交換情報を生成するものである。
つまり、複数の遊技店で残った遊技媒体の数を計数・集計して、これを希望により一括して景品と交換可能にすることによって景品交換の自由度を高めた発明である。ここでも、遊技場利用者が未成年である場合の扱いについては全く考慮されていない。
【０００６】
特開平１０−７６０６０号公報（特許文献４)は、遊技媒体との交換で、つまり景品としてタバコを販売するタバコ自動販売機を開示したもので、未成年者に対してタバコを販売しないよう配慮したものである。具体的には、特許文献４に開示されたタバコ自動販売機は、操作部のカード挿入部に会員カードが挿入された場合、会員カードからＩＤコードを読み取り、読み取ったＩＤコードにより識別される会員の生年月日をホールコンピュータシステムから取込む。取り込んだ生年月日に基づいて、該会員が二十歳以上か否かを判断し、二十歳以上の場合にのみ、タバコの選択ボタンを作動可能にしてタバコの提供を可能にするものである。
この発明の場合、会員カードと会員カードに記録されたＩＤコードによって参照されるコンピュータシステム内の生年月日情報を手がかりに利用者が未成年者であるか否かを判別するので、未成年者が成年者のカードを借りて利用した場合に、未成年者に対してもタバコが供給される可能性を排除することができない。また、同発明は、会員カードとタバコ自動販売機との関係のみについて考慮したものであるが、残り球数を計数してその場で種々の景品と交換する状況を考えると、交換可能な景品の全てに対して一括して年齢認証との関連性を設けておくほうが遥かに便利である。
【０００７】
特開平１０−７６０６１号公報（特許文献５)は、特許文献４と同様に、景品としてタバコを販売する場合に、未成年者に対してはタバコ販売機のボタンをロックしてしまうものである。具体的には、カードリーダは、挿入排出口に会員カードが挿入された場合、会員カードからＩＤコードを読み取り、読み取ったＩＤコードにより識別される会員の生年月日をホールコンピュータシステムから取込む。取り込んだ生年月日を含む会員データをレジスタに出力する。レジスタは、会員データから生年月日を抽出し、会員が二十歳以上か否かを判断し、二十歳未満の場合に、タバコの選択キーをロックして、タバコの交換を不可能とする。
この発明の場合も、未成年者が成年者のカードを借りて利用した場合に、未成年者に対してもタバコが供給される可能性を排除することができず、また、会員カードとタバコ自動販売機との関係のみについて考慮したものなので、残り球数を計数してその場で種々の景品と交換する状況を考えると、交換可能な景品の全てに対して一括して年齢認証との関連性を設けておくほうが遥かに便利である点は特許文献４に開示された発明と同様である。
【特許文献１】特開２００４−１６６４０号公報
【特許文献２】特開２００７−５４５７５号公報
【特許文献３】特開２００１−２７６３９５号公報
【特許文献４】特開平１０−７６０６０号公報
【特許文献５】特開平１０−７６０６１号公報
【発明の開示】
【発明が解決しようとする課題】
【０００８】
従来技術の状況と従来技術が有する上述のような課題に鑑みて、本発明は、遊技場における遊技媒体と景品の交換システムであって、景品との関係で不適格者に対しては遊技媒体との交換で当該景品を受け取ることができないよう確実な制御を行い、さらに、好ましくは、利用者が受け取ることのできない景品を出さないだけでなく、利用者が受け取ることのできる景品の範囲を示すことによって利用者の使用感を和らげるものである。
【課題を解決するための手段】
【０００９】
上記の課題を解決することを目的とした景品交換システムは、投入された遊技媒体の数を計数する手段と、
記憶媒体から媒体所持者の特定情報を読み取る第１の読み取り手段と、
読み取った特定情報に基づいて、媒体所持者が所定の年齢に達しているか否かを判別する手段とを備え、
計数された遊技媒体数と、媒体所持者が所定の年齢に達しているか否かによって、それぞれに対応する景品を交換可能にするものである。
【００１０】
本明細書に於いて遊技媒体とは、パチンコ店であればパチンコ球、ルーレットであれば遊技用コイン等であるが、遊技のために使用する媒体であれば形状、材質を問わない。計数する手段とは、パチンコ店であれば、遊技後のパチンコ球を自動計数する装置などがこれに相当する。記憶媒体とは、原則としてパチンコ店等の利用者が所持し、遊技後の残り球計数等に当たって利用するものであって、磁気バンド、ＩＣチップ、ＲＦＩＤ等形式の如何を問わず、コンピュータ関連装置によって必要な情報を書き込み読み出しできる媒体を言う。特定情報とは、利用者つまり記憶媒体所持者の生年月日のように利用者に関する直接の情報であってもよいし、単に媒体所持者の識別番号等であって、これを用いてデータベース等を参照することによって利用者の直接の情報が得られるような間接の情報であってもよい。また、第１の読み取り手段は、記憶媒体がカードの形状をしていれば、いわゆるカードリーダのようなものである。
【００１１】
読み取った特定情報に基づいて、媒体所持者が所定の年齢に達しているか否かを判別する手段は、一般にカレンダー機能を内蔵したものであるが、外部から日付を入力するものであってもかまわない。媒体所持者が所定の年齢に達しているか否かによって、それぞれに対応する景品を交換可能にするとは、具体的には、未成年者に対してはタバコ、アルコール飲料を除く景品のみを交換可能にすることを含む。
【００１２】
本発明の景品システムは、遊技媒体を投入して景品を選択することで景品が供給されるいわば自動販売機のような形式のものであってもよいし、カウンター上に置かれた遊技媒体の計数装置とカウンターの後ろに置かれた景品棚または表示装置が連動したもの（つまり遊技場の店員が景品を渡すことを前提としたもの)でもよいし、あるいは、遊技媒体の計数装置と景品を表示・収容した大型の装置が連動するようなものであってもよい。
【００１３】
このような構成を有する本発明によれば、未成年者、成年者とも、それぞれが有する残り媒体数に基づいて交換可能な景品が得られるので、ストレスなく快適に景品交換を行うことができる。また、遊技店としても、利用者が未成年者であるか否かについて気を使う必要がなくなる。
前記媒体所持者の特定情報は、媒体所持者の生年月日を含んでも良く、その場合には、遊技店の景品交換システムは、媒体を読むことによって直接所持者の年齢情報を計算することができるので、別途サーバなどに年齢情報などを保存する必要が無く簡易である。この場合に、記憶媒体に入力する生年月日は、自動車運転免許証など確実な情報源に基づいて入力し、遊技媒体数の総量を数次にわたって貯積することができることにしておけば、記憶媒体に記録された生年月日の信頼度を向上し、同時に記憶媒体を第三者に貸与するようなことを抑止することができる。
【００１４】
前記第１の読み取り手段は、さらに、前記記憶媒体から本人の固有情報を読み取るものであってもよい。ここで、固有情報とは、他人では代わることのできない本人に固有の情報、例えば、指紋、声紋、静脈分布、虹彩模様などである。つまり、記憶媒体に予め所持者の指紋等をデータとして記録しておくわけである。
この場合、景品交換システムは、媒体所持者の特徴、つまり、指紋等を読み取る第２の読み取り手段を有する。そしてさらに、記憶媒体から読み取った本人の固有情報(指紋等）と媒体所持者の特徴（つまり、その場で撮像した所持者の指紋等）を比較して本人確認を行う手段とを備える。これらの手段によって、記憶媒体に記録された所持者の指紋等と、景品交換を行う際に確認された所持者の指紋等を比較することによって確実な本人確認を行うことができ、記憶媒体を第三者に貸与して用いるようなこと自体をほぼ完全に排除することができる。
【００１５】
この結果に基づいて、本人確認結果と媒体所持者の生年月日に基づいて、媒体所持者が本人であって所定の年齢に達しているか（この場合には、貯積された遊技媒体数が許す限り全景品が交換対象になる)、媒体所持者が本人であって所定の年齢に達していないか（この場合には、例えばタバコ、アルコール飲料以外の景品が対象になる）、媒体所持者が本人でないか（この場合は、全ての景品交換が拒否される)によって、それぞれに対応する景品を交換可能にする。媒体所持者本人以外の者が記憶媒体の使用を試みたときは、景品交換を拒否するだけでなく、遊技店側だけにその旨を知らせたり、利用者を撮影したり、あるいは警報を鳴らす等によって犯罪抑止を図ることも可能である。
【００１６】
一方、前記媒体所持者の特定情報は、媒体所持者に付与された参照番号であってもよい。この場合は、該参照番号に基づいて、予め記憶されたデータから媒体所持者の生年月日を読み出し、当該情報を用いて媒体所持者が所定の年齢に達しているか否かを判断する。このような方法によれば、仮に記憶媒体を紛失するようなことがあっても、そこから個人情報が直接読み出されることがないので安全性が高い。
【００１７】
前記本人固有情報と媒体所持者の特徴は、パスワード、指紋、静脈形状のいずれかであれば比較が容易である。
【００１８】
本発明に基づく景品交換システムは、それぞれ交換可能な景品のみを画面に表示することによって、未成年者にはタバコ、アルコール飲料が供給されないことを特に意識させることなく、それぞれに応じた選択範囲をしめすことで、ストレスなく景品交換を行わせることができる。このとき、年齢だけでなく、貯積された遊技媒体の計数結果によっても表示される景品が変わるように構成されていてもよい。さらに、遊技媒体数が足りないが、もっと貯まれば交換可能になる景品の交換に必要な媒体数を併せて表示して、更なる遊技を勧誘するものであってもよい。
【００１９】
それぞれ交換可能な景品のみに対応する取り出しスイッチを操作可能にすることによって、前記それぞれに対応する景品を交換可能にしてもよいが、そもそも交換可能な景品だけを画面に表示して、画面をタッチすることで景品を選択させるものであってもよい。
【００２０】
システムは、計数のために投入された遊技媒体の数と、記憶媒体に予め記憶されていた遊技媒体の残り数とを合計して投入媒体の総数とするとともに、景品交換後は、総数から景品交換に用いられた遊技媒体の数を差し引いて残りを遊技媒体の残り数として記憶媒体に記憶させるものであってもよい。
【発明を実施するための最良の形態】
【００２１】
以下に、本発明のパチンコ店における実施例を参照しながら本発明を説明するが、本発明が実施例に限定されるもので無いことはいうまでもない。
図１は、本発明に基づくパチンコ店のパチンコ球計数機の概念を示す図である。計数機は、利用者のパチンコ球を受けてその数を数える計数手段１００と、記憶媒体から記憶されている貯積球数と媒体所持者の固有情報を読み取る第１の読み取り手段２００と、所持者の特徴を読み取る第２の読み取り手段３００と、演算部４００と、表示部５００を有する。
記憶媒体所持者がデータを第１の読み取り手段に読み取らせるために記憶媒体を挿入した際に、第２の読み取り手段が同時に所持者の特徴つまり例えば指紋、静脈形状等を読み取るようにしておけば、利用者は確認のために手間を取られる印象なく確実な本人確認を行うことができる。
【００２２】
演算部４００は、第１の読み取り手段２００が記憶媒体から読み出した媒体所持者の固有情報（例えば静脈形状）と第２の読み取り手段３００が読み取った所持者の特徴とを比較し、両者が同一人のものか否かを判別する。判別の結果、別人であると判断された場合、所持者の特徴を再度読み取るために、もう一度装置に対して手をかざすように促し、何度か読み取りを試みた結果、同一人という判定が得られない場合は、遊技場側にその旨を通知し、同時に利用者に対して、記憶媒体に登録された固有情報と所持者のものが不一致である旨を表示する。第１回目あるいは何度目かの判別が不一致であった場合に、記憶媒体に記憶された固有情報と、読み取り手段が読み取った所持者の特徴と、新たに撮影した所持者の顔写真をコンピュータに取り込んでおけば、景品交換が悪意で試みられた場合や、本来問題が無いのに度々不一致と判別される場合などについて後の対処を容易にすることができる。
【００２３】
第１の読み取り手段２００が読み出した媒体所持者の固有情報（例えば静脈形状）と第２の読み取り手段３００が読み取った所持者の特徴とが不一致の場合、演算部４００は、表示部５００にその旨を表示してもよい。両者が一致した場合、演算部４００は、次に、利用者が所定の年齢基準を満たすか否か（例えば２０歳になっているか否か)を計算する。また、演算部４００は、計数手段１００が計数した玉の数と記憶媒体に記憶されていた貯積球の数を合計して、景品交換に用いることのできる球の総数を計算する。次に、交換可能な球の総数と、それぞれの景品の交換に必要な球数とを比較して、あわせて、年齢基準を満たすか否かによる選別を行い、交換可能な景品を表示部５００に表示する。その時、今回新たに交換可能になった球数、従来から貯積されていた球数、合計の球数、各景品の交換に必要な球数を表示してもよい。
ここで、利用者が未成年であれば、タバコやアルコール飲料は交換可能な景品として表示されないことは当然である。
【００２４】
表示部５００はタッチパネルになっており、利用者が表示された景品に触ることによって当該景品が選択されたものとみなして、パチンコ店側にこれを利用者に渡すように指示する。あるいは、かさばらない景品であれば、自動的に利用者に提供するいわゆる自動販売機の形式のものであってもよい。
【００２５】
上述のような、本発明にかかる景品交換システムによれば、利用者がそれと気付かないうちに媒体所持者の固有情報と利用者の特徴を比較して本人確認を行うことができるので、利用がスムーズであり、同時に確実な本人確認を行うことができる。また、確実な本人確認に基づいて、交換可能な景品を選別し、交換可能な景品のみを表示するので、利用者の側にも、遊技場の側にもストレスなく交換を進めることができる。
【００２６】
上記は本発明の一例であって、当業者であれば特許請求の範囲と実施例の記載に基づいて多くの変形例を実施できることは自明である。
【図面の簡単な説明】
【００２７】
【図１】本発明の実施態様を示した概念図
【符号の説明】
【００２８】
１００  計数手段
２００  第１の読み取り手段
３００  第２の読み取り手段
４００  演算部
５００  表示部
【図１】
2009000242.tif 000003